(57)【要約】【課題】釣り中における腕や手首の負担を軽減することができ、それと共に良好な釣果を得ることができる軽量竿に使用される腕用釣り竿受けを提供する。【解決手段】前腕２０を前方に向けた状態で保持した軽量竿を挟み込む竿受け部２と、この竿受け部２に連結されると共に前腕２０に対する当該竿受け部２の位置ずれを防ぐように前腕周形状に沿って形成された腕装着部３と、この腕装着部３に設けられ、前方に向けた前腕２０の胴体３０側で竿受け部２を位置決めする装着ベルト４とを備えた、軽量竿に使用される腕用釣り竿受け１である。竿受け部２を、断面略逆Ｖ字状に形成し、かつ前腕２０と胴体３０間の圧迫で竿保持空間９を狭めるように弾性変形可能に構成する。【選択図】図１
0003197981.tif 000002
【実用新案登録請求の範囲】
【請求項１】
前腕を前方に向けた状態で保持した軽量竿を挟み込む竿受け部と、この竿受け部に連結されると共に前腕に対する当該竿受け部の位置ずれを防ぐように前腕周形状に沿って形成された腕装着部と、この腕装着部に設けられ、前方に向けた前腕の胴体側で前記竿受け部を位置決めする装着ベルトとを備え、
前記竿受け部は、断面略逆Ｖ字状に形成され、かつ前腕と胴体間の圧迫で竿保持空間を狭めるように弾性変形可能に構成されていることを特徴とする軽量竿に使用される腕用釣り竿受け。
【請求項２】
前記竿受け部の内側には、釣り竿の滑りを止める滑り止め部材が設けられていることを特徴とする請求項１に記載の軽量竿に使用される腕用釣り竿受け。
【考案の詳細な説明】
【技術分野】
【０００１】
本考案は腕に装着可能な釣り竿受けに関するものである。
【背景技術】
【０００２】
先端に仕掛けが付けられた釣り竿を保持した際、釣り竿の後端を支える腕の負担は非常に大きい。特許文献１には、身体に装着自在なベルトと、このベルトに設けられた釣り竿固定部とを備え、この釣り竿固定部に釣り竿を固定することによって、釣り竿を保持したまま効率よく操作でき、腕の負担及び移動の煩わしさを軽減した釣り竿保持具が記載されている。
【先行技術文献】
【特許文献】
【０００３】
【特許文献１】実用新案登録第３１３３０８０号公報
【考案の概要】
【考案が解決しようとする課題】
【０００４】
釣りの際には、前腕を前方に向けた状態で釣り竿を保持する。手の位置を支点に釣り竿が保持されるため、前腕の下側にくる釣り竿の後部が上下左右に動き、釣り竿がグラグラする。釣り竿が動くのを止めるために腕や手首には相当な負担がかかり、特に長時間の釣りとなった場合、腕や手首の疲労が大きくなる。特許文献１の釣り竿保持具では、釣り竿は単に身体にぶら下げられているだけであり、釣り中において釣り竿は腕に対して自在に動く状態となっている。そのため、釣り中における腕や手首の負担を軽減することはできない。さらに、良好な釣果を得るには、竿先の微妙な動きを長時間に渡ってコントロールする必要もあり、釣り竿を身体にぶら下げているだけの釣り竿保持具では、良好な釣果を得ることはできない。
【０００５】
そこで本考案は従来技術の問題点に鑑み、釣り中における腕や手首の負担を軽減することができ、それと共に良好な釣果を得ることができる軽量竿に使用される腕用釣り竿受けを提供することを目的とする。
【課題を解決するための手段】
【０００６】
本考案は、前腕を前方に向けた状態で保持した軽量竿を挟み込む竿受け部と、この竿受け部に連結されると共に前腕に対する当該竿受け部の位置ずれを防ぐように前腕周形状に沿って形成された腕装着部と、この腕装着部に設けられ、前方に向けた前腕の胴体側で前記竿受け部を位置決めする装着ベルトとを備え、前記竿受け部は、断面略逆Ｖ字状に形成され、かつ前腕と胴体間の圧迫で竿保持空間を狭めるように弾性変形可能に構成されていることを特徴とする軽量竿に使用される腕用釣り竿受けである。
【０００７】
本考案の軽量竿に使用される腕用釣り竿受けでは、竿受け部によって、前腕を前方に向けた状態で保持した釣り竿を受けることができ、腕装着部によって前腕に対する竿受け部の位置ずれが防がれ、装着ベルトによって前方に向けた前腕の胴体側で竿受け部が位置決めされる。そのため、釣り竿を保持したときに前腕に対する釣り竿の位置を容易に固定できる。竿受け部では、前腕と胴体間の圧迫で竿保持空間が狭められて釣り竿が挟みこまれ、釣り竿の位置をより確実に固定できる。これにより、釣り中における腕や手首の負担を軽減することができ、それと共に良好な釣果を得ることができる。
【０００８】
前記竿受け部の内側に、釣り竿の滑りを止める滑り止め部材を設ければ、釣り竿の位置ずれが無くなり、腕や手首の負担をさらに軽減することができる。
【考案の効果】
【０００９】
本考案によれば、釣り竿を保持したときに前腕に対する釣り竿の位置を容易かつ確実に固定できるため、釣り中における腕や手首の負担を軽減することができ、それと共に良好な釣果を得ることができる。
【図面の簡単な説明】
【００１０】
【図１】本考案の一実施形態に係る軽量竿に使用される腕用釣り竿受けの正面図である。
【図２】竿受け部及び腕装着部の側面図である。
【考案を実施するための形態】
【００１１】
本考案の実施形態について図面を参照して説明する。図１は本考案の一実施形態に係る軽量竿に使用される腕用釣り竿受け１の正面図であり、図２は装着ベルトを除いた軽量竿に使用される腕用釣り竿受け１の側面図である。本実施形態の軽量竿に使用される腕用釣り竿受け１（以下、腕用釣り竿受け１）は、釣り竿を受ける竿受け部２と、この竿受け部２に連結された腕装着部３と、この腕装着部３に設けられた装着ベルト４とで主に構成されている。
【００１２】
腕装着部３は身体の前腕２０に当てて使用するものであり、本実施形態では短手方向に湾曲した長板５と、この長板５に直交するように固定された長手方向に湾曲する受板６とで構成されている。長板５の下面には、装着ベルト４を通すための装着部７が設けられている。腕装着部３の受板６の端部６ａは下方へ折り返されており、当該受板６の一部６ｂと折り返された端部６ａとで断面略逆Ｖ字状の竿受け部２が構成されている。この竿受け部２の内側には、釣り竿の滑りを止める滑り止め部材８が設けられている。受板６は弾性変形可能な樹脂素材からなり、竿受け部２が前腕２０と胴体３０との間で圧迫されたときに、竿保持空間９が狭められる。これにより、竿受け部２を前腕２０と胴体３０間で圧迫することにより釣り竿を挟み込むことができる。
【００１３】
竿受け部２には前腕２０を前方に向けた状態で保持した軽量竿が挟み込まれ、腕装着部３が前腕周形状に沿って形成されて、前腕２０に対する竿受け部２の位置ずれが防がれ、装着ベルト４により、前方に向けた前腕２０の胴体側で竿受け部２が位置決めされる。
【００１４】
竿受け部２及び腕装着部３を構成する素材は限定されず、所要の強度を有するものであればどのような樹脂、金属であってもよい。竿受け部２及び腕装着部３を構成する樹脂として、例えばポリエチレン、ポリエステル、ポリプロピレン等が挙げられる。
【００１５】
腕装着部３を前腕２０の下側へ当てた状態で装着ベルト４を締め込み、竿受け部２を、前方に向けた前腕２０と胴体３０との間に挟み込むようにして位置決めする。竿受け部２の竿保持空間９は左右からの圧迫によって狭められる。そのため、脇を締めるように前腕２０を胴体３０側へ引き寄せる動作と、前腕２０を胴体３０側から離す動作とによって、竿受け部２の竿保持空間９の大きさが変化し、釣り竿を適切な力で支持することが可能となる。特に本実施形態の腕用釣り竿受け１は軽量竿に好適に用いられ、例えばジギング用の細い軽量竿を竿受け部２に挟み込みつつ、しゃくり動作を行うことが容易となる。
【００１６】
本考案の腕用釣り竿受け１によれば、竿受け部２によって、前腕２０を前方に向けた状態で保持した釣り竿を受けることができ、腕装着部３によって前腕２０に対する竿受け部２の位置ずれが防がれ、装着ベルト４によって前方に向けた前腕２０の胴体３０側で竿受け部２が位置決めされる。そのため、釣り竿を保持したときに前腕２０に対する釣り竿の位置を容易に固定できる。
【００１７】
竿受け部２では前腕２０と胴体３０間の圧迫で竿保持空間９が狭められため、前腕２０に対する釣り竿の位置をより確実に固定できる。これにより、釣り中における腕や手首の負担を軽減することができ、それと共に良好な釣果を得ることができる。竿受け部２の内側に、釣り竿の滑りを止める滑り止め部材８が設けられているため、釣り竿の位置ずれが無くなり、腕や手首の負担をさらに軽減することができる。
【００１８】
本実施形態は本考案に係る軽量竿に使用される腕用釣り竿受けの例示であり、竿受け部、腕装着部、装着ベルトの形状、大きさ等は適宜変更される。
【符号の説明】
【００１９】
１  腕用釣り竿受け
２  竿受け部
３  腕装着部
４  装着ベルト
５  長板
６  受板
７  装着部
８  滑り止め部材
９  竿保持空間
２０  前腕
３０  胴体
【図１】
0003197981.tif 000003
【図２】
0003197981.tif 000004